(57)【要約】【課題】自動改札装置を利用する利用客ごとに、その位置により表示内容を変えることが可能な表示装置を備えた自動改札装置を提供すること。【解決手段】図６は、１人目の利用客Ｐ１及び２人目の利用客Ｐ２がそれぞれ前進し、利用客Ｐ２が入口センサ３０に検知された場合、利用客Ｐ１が携帯するＩＣカードＴ１は通行可能であり、利用客Ｐ２が携帯するＩＣカードＴ２が通行不可（乗り越しの場合）の場合、それぞれの乗車券情報に基づいて下記表示が視認される。空間領域Ａにいる利用客Ｐ２には、（「乗り越し  精算機へお回りください。」）が確認され、空間領域Ｂにいる利用客Ｐ１には（「残額  １０００円  引去額１３０円  ご利用ありがとうございます。」）が確認できる。また、利用客Ｐ１が空間領域Ｃの範囲では、（「引去額１３０円  ご利用ありがとうございます。」）が確認できる。【選択図】  図１
2010140436.tif 000002
【特許請求の範囲】
【請求項１】
利用客が携帯する利用券を判別し、その判別結果に基づいて通行の可否を判別する自動改札装置であって、
利用客の通行を検知するために前記自動改札装置の通行方向上流から下流に向かって配置された少なくとも入口センサ、中央センサ及び出口センサからなる複数のセンサと、
見る位置によって異なる複数の表示を同時に行うことが可能な表示装置と、
を備え、
前記表示装置は、
前記入口センサが利用客を検知したときにこの利用客が当該表示装置を見る視線の近傍を表示視野範囲とする第１の空間領域に表示する機能と、
前記中央センサが利用客を検知したときにこの利用客が当該表示装置を見る視線の近傍を表示視野範囲とする第２の空間領域に表示する機能と、
前記出口センサが利用客を検知したときにこの利用客が当該表示装置を見る視線の近傍を表示視野範囲とする第３の空間領域に表示する機能と、
前記空間領域ごとに異なる案内表示を行う表示制御手段と、
を、備えたことを特徴とする自動改札装置。
【請求項２】
前記表示制御手段は、
１人目の利用客が前記中央センサによって検知され、続けて当該自動改札装置に進入する２人目の利用客が入口センサによって検知されたとき、第２の空間領域に視線がある１人目の利用客に対しては１人目の利用券情報に基づく第２の案内表示を行い、第１の空間領域に視線がある２人目の利用客に対しては２人目の利用券情報に基づく第１の案内表示を行うことを特徴とする請求項１記載の自動改札装置。
【請求項３】
前記表示制御手段はまた、
当該自動改札装置を利用して通行する利用客の通行方向上流側に後続の利用者がいない場合、当該上流側の空間領域に対する表示を行わないことを特徴とする請求項１又は請求項２記載の自動改札装置。
【発明の詳細な説明】
【技術分野】
【０００１】
本発明は、自動改札装置に関し、特に自動改札装置を利用する利用客ごとに異なる案内表示を行う自動改札装置に関する。
【背景技術】
【０００２】
駅改札口や遊園地などでは、利用客が携帯する利用券を自動改札装置によって判別し、その判別結果に基づいて通路に設置された自動ドアの開閉を行うことにより省力化を図っている。
【０００３】
例えば、駅務機器における自動改札装置では、自動改札装置を利用する利用客に、利用券である乗車券の判定結果やＳＦ（Ｓｔｏｒｅｄ  Ｆａｒｅ）カードの場合にはその残額を、自動改札装置の進行方向前方に配置されている表示装置に表示して通知するのが一般的である。
【０００４】
しかしながら、自動改札装置を複数の利用客が連続して通過する場合、上記表示装置には最初の利用客が通過するまで、その判定結果情報が表示されており、次の利用客の判定結果表示が遅くなるという課題がある。そのため、次利用客の判定結果が通過不可であった場合であっても、その内容を通知するタイミングが遅くなり、結果的に利用客がその判定結果を知るタイミングが遅くなり、流通障害が発生する場合があった。
【０００５】
この課題に対しては、複数の表示装置を使用して自動改札機通路を移動する旅客（利用客）に対して案内を行う方法が知られている（例えば、特許文献１参照。）。
【特許文献１】特開２００６−２０２３４２号公報（第９頁、図８）
【発明の開示】
【発明が解決しようとする課題】
【０００６】
しかしながら、上述した複数の案内表示は、複数の利用客が複数の案内表示を視認できるため、利用客が混乱するという課題がある。また、複数の利用客が他人の乗車券情報を見ることになるためセキュリティ性の課題があった。
【０００７】
本発明は上記課題を解決するためになされたもので、自動改札装置を利用する利用客に対する案内表示を１個の表示装置で行い、当該表示装置を使用し、自動改札装置を利用する複数の利用客に対してその位置により利用客ごとに表示内容を変えることが可能な表示装置を備えた自動改札装置を提供することを目的とする。
【課題を解決するための手段】
【０００８】
上記目的を達成するために、本発明の請求項１記載の自動改札装置は、利用客が携帯する利用券を判別し、その判別結果に基づいて通行の可否を判別する自動改札装置であって、利用客の通行を検知するために前記自動改札装置の通行方向上流から下流に向かって配置された少なくとも入口センサ、中央センサ及び出口センサからなる複数のセンサと、見る位置によって異なる複数の表示を同時に行うことが可能な表示装置と、を備え、前記表示装置は、前記入口センサが利用客を検知したときにこの利用客が当該表示装置を見る視線の近傍を表示視野範囲とする第１の空間領域に表示する機能と、前記中央センサが利用客を検知したときにこの利用客が当該表示装置を見る視線の近傍を表示視野範囲とする第２の空間領域に表示する機能と、前記出口センサが利用客を検知したときにこの利用客が当該表示装置を見る視線の近傍を表示視野範囲とする第３の空間領域に表示する機能と、前記空間領域ごとに異なる案内表示を行う表示制御手段と、を、備えたことを特徴とする。
【発明の効果】
【０００９】
本発明によれば、自動改札装置を通過する利用客ごとに同時に異なる案内表示を行うことができる。必要な人に必要な情報を表示することにより通行時の混乱を防止し、またセキュリティ性が向上する。
【発明を実施するための最良の形態】
【００１０】
以下、図面を参照して本発明の実施例を説明する。
【実施例１】
【００１１】
図１は、例えば駅改札口などに設置される本実施例の表示装置１０を備えた自動改札装置１を示す。自動改札装置１は、通路を挟んで両側に配置されて用いられるが、ここでは図示矢印Ｄで示す進行方向右側に配置された自動改札装置のみを示す。
【００１２】
自動改札装置１は、進行方向入口に磁気券を投入する磁気券投入口３及び磁気券取出口４が配置され、磁気券投入口３の近傍には非接触ＩＣカード（以下、ＩＣカードと称する。）Ｔを読取るＩＣカード読取部２が配置され、磁気券取出口４の近傍には表示装置１０が配置されている。また、自動改札装置１の入口部分及び出口部分には自動ドア２０、２１が配置されている。
【００１３】
また、自動改札装置１には、少なくとも、進入側の光学センサ（入口センサ）３０、中央部の光学センサ（中央センサ）３１及び出口側の光学センサ（出口センサ）３２が配置され、自動改札装置１を利用する利用客を検知する（人間検知と称される）。なお、自動改札装置によってはさらに多くの光学センサを配置して人間検知を行う場合もあるが、この人間検知が本発明の趣旨ではないため、詳細の説明を省略する。勿論、さらに多くのセンサを配置して通過する利用客の移動を詳細に検知してもよいことは言うに及ばない。
【００１４】
さらに、本実施例の表示装置１０は、表示装置上面の空間領域Ａ（第１の空間領域）、Ｂ（第２の空間領域）及びＣ（第３の空間領域）によって３種類の表示を同時に行うが可能である。
【００１５】
図は、このように構成された自動改札装置１を利用客ＰがＩＣカードＴをＩＣカード読取部２にかざして図示矢印Ｄ方向に前進する様子を示している。
【００１６】
図２は、図１に示す利用客がチャージ機能を有する適式（通行可能）なＩＣカードＴを携帯して自動改札装置１の通路を通過する場合の表示装置１０に表示される案内表示を示す。この表示装置１０は、3種類の表示を3種類の方向に放射することが可能に構成されている。従って、利用客は、表示装置１０を見る方向（角度）によって3種類の表示内容を視認することができる。
【００１７】
図１に示す一例では、利用客Ｐが一人であり、利用客Ｐが携帯するＩＣカードＴの乗車券情報（利用券情報）をＩＣカード読取装置２にかざして通過する場合を示す。なお、当該ＩＣカードの乗車券情報は通過可であるとする。
【００１８】
表示装置１０は、自動改札装置１の進行方向前方に配置されており、利用客Ｐが自動改札装置１の通路を、表示装置１０を見ながら前進する場合、利用客Ｐが表示装置１０を見る視線の位置が変化する。この利用客Ｐが表示装置１０を見る視線の空間領域がどこに含まれるかにより、本実施例では3種類の表示を視認できるように構成されている。例えば下記の通りである。
【００１９】
図示した空間領域Ａの範囲では「引去額  １３０円  ご利用ありがとうございます。」の表示画面が視認できる（Ａで見える画面）。
【００２０】
さらに前進し空間領域Ｂの範囲では、「残額  １０００円  引去額  １３０円  ご利用ありがとうございます。」の表示画面が確認できる（Ｂで見える画面）。
【００２１】
さらに前進し空間領域Ｃの範囲では「引去額  １３０円  ご利用ありがとうございます。」の表示画面が視認できる（Ｃで見える画面）。
【００２２】
図３は、利用客Ｐ１、Ｐ２が連続して自動改札装置１を利用する場合の表示装置１０の案内表示を示す。図示した例は、チャージ機能を有するＩＣカードを携帯する利用客が自動改札装置１を利用する場合について下記条件で利用する場合の一例である。
【００２３】
１人目の利用客Ｐ１は、通行可の乗車券であるＩＣカードＴ１を携帯して進入する。
【００２４】
２人目の利用客Ｐ２は、通行不可の乗車券であるＩＣカードＴ２を携帯して進入する。
【００２５】
図示した表示例は、１人目の利用客Ｐ１がＩＣカードＴ１をＩＣカード読取部２にかざした状態を示す。この状態では２人目の利用客Ｐ２の携帯するＩＣカードＴ２は読込まれていないため、自動改札装置１によって認識されておらず、従って、利用客Ｐ１のＩＣカードＴ１に関する乗車券情報に基づいて各空間領域において下記表示が視認されることになる。
【００２６】
空間領域Ａでは、利用客Ｐ１は表示１０Ａ（「引去額１３０円  ご利用ありがとうございます。」）が視認できる。このとき、空間領域Ｂでは、表示１０Ｂ（「引去額１３０円  ご利用ありがとうございます。」）が視認でき、空間領域Ｃでは、表示１０Ｃ（「引去額１３０円  ご利用ありがとうございます。」）が視認できることになるが、利用客Ｐ１は空間領域Ｂ及びＣに到達していないため空間領域Ａでは上記表示１０Ａのみ視認できることになる。
【００２７】
図４は、図３の状態から１人目の利用客Ｐ１及び２人目の利用客Ｐ２がそれぞれ自動改札装置１に進入し、１人目の利用客Ｐ１が入口センサ３０によって検知された状態を示す。
【００２８】
この場合の表示装置１０は、上記図３と同様の表示を行う。自動改札装置１では１人目の利用客Ｐ１しか認識しておらず、当該１人目の利用客Ｐ１に対する判定結果に基づいて表示されるからである。
【００２９】
図５は、図４の状態から１人目の利用客Ｐ１及び２人目の利用客Ｐ２がそれぞれ前進し、利用客Ｐ１が中央センサ３１によって検知され、利用客Ｐ２が携帯するＩＣカードＴ２がＩＣカード読取装置２によって読取られた状態を示す。この場合には、利用客Ｐ１は、中央センサ３１によって検知されているが、利用客Ｐ２は入口センサ３０よって検知されていないため、利用客Ｐ１に対する乗車券情報に基づいて図４同様の表示が視認される。
【００３０】
図６は、図５の状態から１人目の利用客Ｐ１及び２人目の利用客Ｐ２がそれぞれ前進し、利用客Ｐ２が入口センサ３０に検知された状態を示す。この場合、利用客Ｐ１が携帯するＩＣカードＴ１は通行可能であり、利用客Ｐ２が携帯するＩＣカードＴ２は通行不可（乗り越し精算を必要とする場合）であるため、空間領域Ａにいる利用客Ｐ２には、（「乗り越し  精算機へお回りください。」）が視認され、空間領域Ｂにいる利用客Ｐ１には（「残額  １０００円  引去額１３０円  ご利用ありがとうございます。」）が視認できる。また、利用客Ｐ１がさらに前進し、空間領域Ｃに達した場合は、（「引去額１３０円  ご利用ありがとうございます。」）が視認される。このように利用客ごとに必要な情報を表示し、また、他の利用客には視認できないような表示をすることにより通行時の混乱とセキュリティ性の向上が可能になる。
【００３１】
図７は、図６までの表示装置１０による各利用客に対する案内表示により、１人目の利用客Ｐ１は前進し、２人目の利用各Ｐ２は図示矢印Ｅ方向に後進することになる。このときの表示装置１０に対する案内表示は以下のように表示される。
【００３２】
空間領域Ａでは、利用客Ｐ２に対する表示１０Ｃ（「乗り越し  精算機へお回りください。」）が視認される。利用客Ｐ２に対しては携帯するＩＣカードＴ２の乗車券情報が通行不可であるため、自動改札装置１０に進入した早い段階で利用客に通知した方がよいことによる。
【００３３】
空間領域Ｂでは、１人目の利用客Ｐ１に対する表示１０Ｂ（「引去額１３０円  ご利用ありがとうございます。」）が視認される。ここでは、利用客Ｐ１が携帯するＩＣカードＴ１は通行可能であるため、このＩＣカードＴ１の乗車券情報に基づいて表示装置１０に表示される。従って、この領域では、通行不可である２人目の利用客Ｐ２に対する表示は行われない。
【００３４】
利用客Ｐ１がさらに前進し、空間領域Ｃに達すると、利用客Ｐ１に対する表示１０Ｃ（「引去額１３０円  ご利用ありがとうございます。」）が表示される。この領域では、空間領域Ｂ同様、通行不可である２人目の利用客Ｐ２に対する表示は行われない。
【００３５】
なお、本実施例では、一例を示したが、利用者ごと、空間領域Ａ、Ｂ、Ｃごとに異なる案内表示になる場合もある。例えば、通行可の１人目の利用客が空間領域Ｃにいる場合は、基本的に当該利用者は前進することになるため、空間領域Ｂでは、２人目の利用客に対する案内表示をすることになる。一方、空間領域Ａでは、３人目の利用客に対する案内表示を行うことも可能になる。こ場合には３人の利用客に対して３種類の案内表示をすることも可能になる。
【００３６】
また、自動改札装置１を利用する利用客の自動改札装置通路の上流側に後続の利用者がない場合、当該上流側の空間領域に対する表示を行わないことも可能である。例えば利用客の視線が空間領域Ｂにあり、前進している場合には、利用客の後ろ側に対する案内表示である空間領域Ａに対する表示は不要であり、セキュリティに対する安全性からも好ましい。
【００３７】
また、本実施例ではＩＣカードを携帯する利用者にたいする表示装置による案内表示の一例をしめしたが、これに限らず、上述した磁気券を利用する利用者に対しても同様の表示を行うことができるのは言うに及ばない。
【００３８】
以上説明したように本発明によれば、自動改札装置１を利用する１人目の利用客と続いて利用する２人目の利用客、又は３人目の利用客に対し、利用客が携帯するＩＣカードの乗車券情報により、当該自動改札装置１に対する進入位置によって異なった案内表示を同一表示装置で行うことができる自動改札装置を提供できる。
【図面の簡単な説明】
【００３９】
【図１】本発明の表示装置１０を備えた自動改札装置１。
【図２】図１に示す利用客Ｐがチャージ機能を有する適式なＩＣカードＴを携帯して自動改札装置１を通過する場合の表示装置１０に表示される案内表示。
【図３】利用客Ｐ１、Ｐ２が連続して自動改札装置を利用する際、利用客Ｐ１のＩＣカードＴ１をＩＣカード読取装置にかざしたときの表示装置１０の案内表示。
【図４】図３の状態から利用客Ｐ１、Ｐ２がそれぞれ前進し、利用客Ｐ１が入口センサ３０によって検知されたときの表示装置１０に表示される案内表示。
【図５】図４の状態から利用客Ｐ１、Ｐ２がそれぞれさらに前進し、利用客Ｐ１が中央センサによって検知され、利用客Ｐ２のＩＣカードがＩＣカード読取装置によって読取られたときの表示装置１０に表示される案内表示。
【図６】図５の状態から利用客Ｐ１、Ｐ２がそれぞれさらに前進し、利用客Ｐ２が進入センサによって検知されたときの表示装置１０に表示される案内表示。
【図７】表示装置１０の案内表示によって利用客Ｐ１はさらに前進し、利用客Ｐ２は後進するときの表示装置１０に表示される案内表示。
【符号の説明】
【００４０】
Ｔ、Ｔ１、Ｔ２  ＩＣカード
Ｐ１、Ｐ２  利用客
１  自動改札装置
２  ＩＣカード読取部
３  磁気券投入口
４  磁気券取出口
１０  表示装置
２０、２１  自動ドア
３０  入口センサ
３１  中央センサ
３２  出口センサ
【図１】
2010140436.tif 000003
【図２】
2010140436.tif 000004
【図３】
2010140436.tif 000005
【図４】
2010140436.tif 000006
【図５】
2010140436.tif 000007
【図６】
2010140436.tif 000008
【図７】
2010140436.tif 000009